(57)【要約】【課題】耳栓形状のヘッドホンにおいて、外観意匠の自由度を大きく向上することのできるヘッドホンを提供すること。【解決手段】第１のドライバユニット２と、円筒形状をなし、前記第１のドライバユニットの放音側端部を前記円筒形状の長手方向両端縁の間の内側面に支持する円筒支持部材３と、前記第１のドライバユニットより出力される音波を耳内に放音する開口を有し、前記円筒支持部材の外側面が露出された状態で、該円筒支持部材における前記第１のドライバユニット放音側の端縁に取り付けられる放音部材４と、前記円筒支持部材の外側面が露出された状態で、該円筒支持部材の第１のドライバユニット放音側とは反対側の端縁に取り付けられる蓋部材５と、を備える。【選択図】図１
2017158045.tif 000002
【特許請求の範囲】
【請求項１】
第１のドライバユニットと、
円筒形状をなし、前記第１のドライバユニットの放音側端部を前記円筒形状の長手方向両端縁の間の内側面に支持する円筒支持部材と、
前記第１のドライバユニットより出力される音波を耳内に放音する開口を有し、前記円筒支持部材の外側面が露出された状態で、該円筒支持部材における前記第１のドライバユニット放音側の端縁に取り付けられる放音部材と、
前記円筒支持部材の外側面が露出された状態で、該円筒支持部材の第１のドライバユニット放音側とは反対側の端縁に取り付けられる蓋部材と、
を備えることを特徴とするヘッドホン。
【請求項２】
前記第１のドライバユニットは、その放音側端部に形成されたフランジを有し、
前記円筒支持部材は、その内側面に周方向に沿って形成された溝部を有し、
前記フランジが前記溝部に係合することにより、前記第１のドライバユニットが前記円筒支持部材の内側面に支持されることを特徴とする請求項１に記載されたヘッドホン。
【請求項３】
前記円筒支持部材は、金属素材により形成され、前記円筒支持部材に取り付けられる前記放音部材と前記蓋部材とは、前記円筒支持部材とは異なる素材により形成されることを特徴とする請求項１または請求項２に記載されたヘッドホン。
【請求項４】
放音面が前記第１のドライバユニットの放音面に所定の間隔を空けて対向配置された第２のドライバユニットを備え、
前記第２のドライバユニットは、その放音側端部が前記円筒支持部材の長手方向両端縁の間の内側面に支持されることを特徴とする請求項１乃至請求項３のいずれかに記載されたヘッドホン。
【請求項５】
前記第１のドライバユニットにおいて、その放音側端部と対向する底部は、前記蓋部材側に突出し、該蓋部材により覆われていることを特徴とする請求項１乃請求項４のいずれかに記載されたヘッドホン。
【請求項６】
前記第２のドライバユニットにおいて、その放音側端部と対向する底部は、前記放音部材側に突出し、該放音部材により覆われていることを特徴とする請求項４または請求項５に記載されたヘッドホン。
【発明の詳細な説明】
【技術分野】
【０００１】
本発明は、ヘッドホンに関し、例えば、耳栓形状のカナル型のヘッドホンであって外装の意匠の自由度を向上することのできるヘッドホンに関する。
【背景技術】
【０００２】
従来から外耳道に挿入する、耳栓形状のカナル型ヘッドホン（イヤホン）が知られている。このカナル型のヘッドホンにあっては、従来から、ヘッドホン自体の重みによりユーザが軽く運動した程度でも耳介から外れて落ちてしまう等の課題があった。
前記課題に対し、特許文献１には、ユーザの耳介との接触面積を大きく確保することにより、ユーザの耳介に対し安定した装着が可能なヘッドホン（特許文献１ではイヤホンとされる）の構成が開示されている。
【０００３】
図４は、特許文献１に開示されるヘッドホン（片耳側のみ示す）の分解斜視図である。図示するヘッドホン５０は、音波を発射するドライバユニット（スピーカユニット）６０を有し、このドライバユニット６０はスピーカ筐体部５１に収容される。スピーカ筐体部５１は、ユニットキャップ５２と、前記ドライバユニット６０を前側（放音側）の開口縁部に保持する筒状部５３と、筒状部５３の後側開口部を覆う底面部５４とを有する。
【０００４】
前記ユニットキャップ５２には、ドライバユニット６０から放射された音波が通過するための開口部５２ａ（音導）と、開口部５２ａを通過した音波を所定方向に導くための音導管５２ｂが形成されている。前記開口部５２ａは音響用フィルタ５５に覆われ、音導管５２ｂは耳栓５６が装着されている。また、ユニットキャップ５２の外周側面の一部には、弾性部材で形成された耳介挿入体５７を形成するための突起部５２ｃが形成されている。この耳介挿入体５７は、イヤホン５０をユーザの耳介に挿入した際に、イヤホン５０がユーザの耳介から脱落しにくいように設けられている。
【０００５】
また、筒状部５３には、管状のコード引出部５８が嵌合されるようになっている。
このように構成されたイヤホン５０によれば、耳介挿入体５７を設けることにより、これとユーザの耳介との接触面積を広く確保することで、ユーザに良好な装着感を与えつつ、イヤホン５０を耳介にしっかりと装着させることができる。
【先行技術文献】
【特許文献】
【０００６】
【特許文献１】特許第５７０４６１７号公報
【発明の概要】
【発明が解決しようとする課題】
【０００７】
ところで、特許文献１に開示されたイヤホン５０にあっては、図５に一部拡大して示すように、筒状部５３の放音側開口縁部にドライバユニット６０を係合させ、ユニットキャップ５２側に筒状部５３を接合することによりドライバユニット６０が保持される。
しかしながら、このような構成にあっては、ユニットキャップ５２内にドライバユニット６０の放音側端部が配置されるために、ユニットキャップ５２及び筒状部５３の意匠（外観）は、単にドライバユニット６０を収納するための形状となってしまい、意匠の自由度が制限されるという課題があった。
【０００８】
本発明は、前記した点に着目してなされたものであり、耳栓形状のヘッドホンにおいて、外観意匠の自由度を大きく向上することのできるヘッドホンを提供することを目的とする。
【課題を解決するための手段】
【０００９】
前記した課題を解決するために、本発明に係るヘッドホンは、第１のドライバユニットと、円筒形状をなし、前記第１のドライバユニットの放音側端部を前記円筒形状の長手方向両端縁の間の内側面に支持する円筒支持部材と、前記第１のドライバユニットより出力される音波を耳内に放音する開口を有し、前記円筒支持部材の外側面が露出された状態で、該円筒支持部材における前記第１のドライバユニット放音側の端縁に取り付けられる放音部材と、前記円筒支持部材の外側面が露出された状態で、該円筒支持部材の第１のドライバユニット放音側とは反対側の端縁に取り付けられる蓋部材と、を備えることに特徴を有する。
尚、前記第１のドライバユニットは、その放音側端部に形成されたフランジを有し、前記円筒支持部材は、その内側面に周方向に沿って形成された溝部を有し、前記フランジが前記溝部に係合することにより、前記第１のドライバユニットが前記円筒支持部材の内側面に支持されることが望ましい。
また、前記円筒支持部材は、金属素材により形成され、前記円筒支持部材に取り付けられる前記放音部材と前記蓋部材とは、前記円筒支持部材とは異なる素材により形成されることが望ましい。
また、前記第１のドライバユニットにおいて、その放音側端部と対向する底部は、前記蓋部材側に突出し、該蓋部材により覆われていることが望ましい。
【００１０】
このように円筒形状の円筒支持部材の内周面側にドライバユニットを保持し、円筒支持部材の外周面を露出する構成としたことにより、放音部材、及び円筒支持部材による外観意匠の自由度を向上させることができる。
また、円筒支持部材を金属素材により形成し、円筒支持部材と接合される放音部材、及び蓋部材を樹脂などの異なる素材で形成することにより、共振の発生を抑制し、また、質感を向上させることができる。
【００１１】
また、放音面が前記第１のドライバユニットの放音面に所定の間隔を空けて対向配置された第２のドライバユニットを備え、前記第２のドライバユニットは、その放音側端部が前記円筒支持部材の長手方向両端縁の間の内側面に支持される構成としてもよい。
尚、この場合、前記第２のドライバユニットにおいて、その放音側端部と対向する底部は、前記放音部材側に突出し、該放音部材により覆われていることが望ましい。
このように構成することにより、本発明は、所謂プッシュプル型のヘッドホンにも適用することができる。
【発明の効果】
【００１２】
耳栓形状のヘッドホンにおいて、外観意匠の自由度を大きく向上することができる。
【図面の簡単な説明】
【００１３】
【図１】図１は、本発明に係るヘッドホンの斜視図であって、一方の耳側のみを代表して示す。
【図２】図２は、図１のヘッドホンの断面図である。
【図３】図３は、本発明に係るヘッドホンの変形例を示す斜視断面図である。
【図４】図４は、従来のヘッドホン（イヤホン）の斜視分解図である。
【図５】図５は、分解された図４のヘッドホンの一部拡大斜視図である。
【発明を実施するための形態】
【００１４】
以下、本発明の実施の形態を図面に基づき説明する。本発明に係るヘッドホンは、耳栓型の所謂カナル型ヘッドホンに適用することができる。
図１は、本発明に係るヘッドホンの斜視図であって、一方の耳側のみを代表して示している。図２は、図１のヘッドホンの断面図である。図示するように、ヘッドホン１は、ドライバユニット２（第１のドライバユニット）と、ドライバユニット２を保持する幅広リング状（円筒形状）の円筒支持部材３と、この円筒支持部材３の放音側開口３ａ（端縁）に嵌合するユニットキャップ４（放音部材）と、ドライバユニット２の底部側を覆うとともに、円筒支持部材３の後部側開口３ｂを塞ぐハウジング５（蓋部材）とを備える。
【００１５】
ユニットキャップ４の前側（図では下側）には、音波を出力するための音導管４ａが設けられ、この音導管４ａの先端開口には音響用フィルタ６が取り付けられている。
前記音響管４ａには、ユーザの耳介に合わせたゴム素材からなる耳栓（図示せず）が取り付け可能となっており、前記耳栓をユーザの耳介に挿入することによりヘッドホン１をユーザが装着できるようになっている。
【００１６】
図２に示すように、ドライバユニット２は例えばその振動板が配置されている周縁部（放音側端部）にフランジ２ａを有し、円筒支持部材３の長手方向両端縁の間の内周面側には、前記フランジ２ａと嵌合可能な溝部３ｃが形成されている。
これにより、ドライバユニット２は円筒支持部材３内の溝部３ｃに嵌合されて保持される。このとき、ドライバユニット２の振動板はフランジ２ａの近傍に取り付けられているので、ドライバユニット２の周縁部（放音側端部）は円筒支持部材３の内部に位置することになる。また、ドライバユニット２の底部（放音側端部と対向する部分）はハウジング５側に突出し、このハウジング５により覆われている。
このような構成により、ユニットキャップ４にあっては、ドライバユニット２の形状に影響されることなく、その意匠に自由度を持たせることができる。
【００１７】
また、本発明にあっては、ユニットキャップ４とハウジング５間に配置される円筒支持部材３の外周面を露出する構成とすることによって、その外周面の加工により外観意匠を強調することができる。例えば、外周面の全面にダイヤカット形状の凹凸を施す、または、スピン加工による溝形成、アルマイト処理を用いた着色等を行うことができる。或いは、円筒支持部材３を透明樹脂により形成し、意匠性を強調してもよい。
【００１８】
また、前記円筒支持部材３は、例えばアルミニウム、チタン、真鍮、樹脂めっきのいずれかにより形成することが望ましい。特にアルミニウムの場合には、着色が容易であるため好ましく、例えばワンポイントで着色し、質感と差し色の効果を得るなど意匠面での幅が拡がる。また、円筒支持部材３を金属素材により形成する場合には、例えば樹脂素材により形成したユニットキャップ４とハウジング５とに対し、接合部の径が同じでも固有振動数が異なるため、共振の発生を抑制することができる。さらには、円筒支持部材３を樹脂素材よりも硬さのある金属素材で形成することにより、ドライバユニット２を強固に保持することができる。
【００１９】
以上のように本発明の実施の形態によれば、リング状の円筒支持部材３の内周面側にドライバユニット２を保持し、円筒支持部材３の外周面を露出する構成としたことにより、ユニットキャップ４、及び円筒支持部材３による外観意匠の自由度を向上させることができる。
また、円筒支持部材３を金属素材により形成し、円筒支持部材３と接合するユニットキャップ４及びハウジング５を樹脂などの異なる素材で形成することにより、共振の発生を抑制し、また、質感を向上させることができる。
【００２０】
尚、前記実施の形態においては、円筒支持部材３の内周面側に１つのドライバユニット２を保持する構成を示したが、本発明にあっては、その構成に限定されるものではない。
例えば、図３の斜視断面図に示すように、円筒支持部材３の内周面側に２つのドライバユニット２Ａ（第１のドライバユニット）、２Ｂ（第２のドライバユニット）を上下に所定の間隔を空けて対配置する、所謂プッシュプル型の構成とすることもできる。
第１実施例と同様に、ドライバユニット２Ａ、２Ｂの振動板は各々周縁部（放音側端部）に配置されており、各振動板が対向するようにドライバユニット２Ａ、２Ｂが円筒支持部材３に取り付けられる。より具体的には、円筒支持部材３の長手方向両端縁の間の内側面には、周方向に沿って平行に２つの溝部３ｃ１、３ｃ２が形成されており、ドライバユニット２Ａの放音側端部の周縁に形成されたフランジ２Ａａが前記溝部３ｃ１に嵌合し、ドライバユニット２Ｂの放音側端部の周縁に形成されたフランジ２Ｂａが前記溝部３ｃ２に嵌合する。即ち、ドライバユニット２Ａ、２Ｂの放音側端部は、ともに円筒支持部材３の長手方向両端縁の間の内側面に支持される。
【００２１】
この場合、ドライバユニット２Ｂの底部（放音側端部と対向する部分）は、ユニットキャップ４内に収容されることになるが、円筒支持部材３の外周面が露出する構成は変わらず、従来よりも外観意匠を向上させることができる。
尚、図３にあっては、ドライバユニット２Ａ、２Ｂを別体として示したが、一体に形成してもよい。
【符号の説明】
【００２２】
１            ヘッドホン
２            ドライバユニット（第１のドライバユニット）
２Ａ          ドライバユニット（第１のドライバユニット）
２Ｂ          ドライバユニット（第２のドライバユニット）
３            円筒支持部材
３ｃ          溝部
４            ユニットキャップ（放音部材）
４ａ          音導管
５            ハウジング（蓋部材）
【図１】
2017158045.tif 000003
【図２】
2017158045.tif 000004
【図３】
2017158045.tif 000005
【図４】
2017158045.tif 000006
【図５】
2017158045.tif 000007